(57)【要約】【課題】立体的な意匠表現を実現して充分な奥行感を持たせる。【解決手段】半透明の表側パネル（7）が裏側パネル（9）の中央部（9a）に対向して配置された加飾パネル（5）において、裏側パネル（9）の中央部（9a）に突出片（9h）を表側パネル（7）に向かって突設し、突出片（9h）を覆うように裏側パネル（9）の表側全面に加飾層（11）を形成し、表側パネル（7）の光透過率を、突出片（9h）の加飾層（11）が表側パネル（7）の表側から透視でき、且つ裏側パネル（9）の中央部（9a）のうち突出片（9h）を除く部位が表側パネル（7）の表側から透視できない程度の光透過率とする。【選択図】図２
2014184768.tif 000002
【特許請求の範囲】
【請求項１】
半透明の表側パネル（7）が裏側パネル（9）の中央部（9a）に対向して配置された加飾パネル（5）であって、
前記裏側パネル（9）の中央部（9a）には、突出部（9h,9l, 9p）が前記表側パネル（7）に向かって突設され、
少なくとも前記突出部（9h, 9l, 9p）の表面には、加飾層（11）が形成され、
前記表側パネル（7）は、前記突出部（9h, 9l, 9p）の加飾層（11）が当該表側パネル（7）の表側から透視でき、且つ前記裏側パネル（9）の中央部（9a）のうち突出部（9h,9l, 9p）を除く部位が当該表側パネル（7）の表側から透視できない程度の光透過率を有する
ことを特徴とする加飾パネル。
【請求項２】
請求項１に記載された加飾パネルにおいて、
前記裏側パネル（9）は、前記中央部（9a）の外周縁に連続して前記表側パネル（7）の外側方に露出する周縁部（9b）を有し、
前記裏側パネル（9）の周縁部（9b）にも、前記突出部（9h,9l, 9p）の加飾層（11）と同一の加飾層（11）が形成されている
ことを特徴とする加飾パネル。
【請求項３】
請求項１又は２に記載された加飾パネルにおいて、
前記加飾層（11）は、メッキ層である
ことを特徴とする加飾パネル。
【請求項４】
請求項１又は２に記載された加飾パネルにおいて、
前記加飾層（11）は、蓄光材料で形成されている
ことを特徴とする加飾パネル。
【請求項５】
請求項１〜４のいずれか１項に記載された加飾パネルにおいて、
前記表側パネル（7）の表面側及び裏面側のうち少なくとも一方には、加飾層（15）が形成されている
ことを特徴とする加飾パネル。
【請求項６】
請求項１〜５のいずれか１項に記載された加飾パネルにおいて、
前記表側パネル（7）は、偏光材を含有している
ことを特徴とする加飾パネル。
【発明の詳細な説明】
【技術分野】
【０００１】
本発明は、半透明の表側パネルと裏側パネルとが組み合わされた構造を有し、表側パネルを通して裏側パネルの中央部が透視可能な加飾パネルに関する。
【背景技術】
【０００２】
特許文献１には、車両用の加飾パネルが開示されている。この加飾パネルは、透過性のある有色材料で成形された合成樹脂カバーと、この合成樹脂カバーの裏面側に設けられた光反射部材とを備えている。そして、合成樹脂カバーの裏面の一部には、合成樹脂カバーを透過するスペクトルを有する色に着色されたクリヤー塗膜層が形成されている。この加飾パネルでは、クリヤー塗膜層の形成されていない箇所が合成樹脂カバーの色に見える一方、クリヤー塗膜層の形成された箇所がクリヤー塗膜層の色に見えることで、多色の組合せが可能となっている。
【先行技術文献】
【特許文献】
【０００３】
【特許文献１】特開平０４−７８７３９号公報
【発明の概要】
【発明が解決しようとする課題】
【０００４】
しかしながら、特許文献１に開示の加飾パネルでは、クリヤー塗膜層の形成されていない箇所とクリヤー塗膜層の形成された箇所とで視認される色を異ならせているだけであるため、意匠表現が平面的なものであり、奥行感に欠ける。
【０００５】
本発明は、斯かる点に鑑みてなされたものであり、その目的とするところは、加飾パネルに立体的な意匠表現を実現して充分な奥行感を持たせることにある。
【課題を解決するための手段】
【０００６】
上記の目的を達成するために、この発明では、表側パネルを半透明に構成し、この表側パネルと組み合わされる裏側パネルに凹凸を持たせることで表側パネルを介して透視できる部分と透視できない部分とを併存させるようにした。
【０００７】
具体的には、本発明は、半透明の表側パネルと裏側パネルとが組み合わされて表側パネルが裏側パネルの中央部に対向して配置された構造を有し、表側パネルを通して裏側パネルの中央部が透視可能な加飾パネルを対象として、以下の解決手段を講じたものである。
【０００８】
すなわち、第１の発明は、裏側パネルの中央部に突出部が表側パネルに向かって突設され、少なくともこの突出部の表面に加飾層が形成され、表側パネルが、突出部の加飾層が当該表側パネルの表側から透視でき、且つ裏側パネルの中央部のうち突出部を除く部位が当該表側パネルの表側から透視できない程度の光透過率を有することを特徴とする。
【０００９】
第２の発明は、第１の発明の加飾パネルにおいて、裏側パネルが、この裏側パネルの中央部の外周縁に連続して表側パネルの外側方に露出する周縁部を有し、裏側パネルの周縁部にも、突出部の加飾層と同一の加飾層が形成されていることを特徴とする。
【００１０】
第３の発明は、第１又は第２の発明の加飾パネルにおいて、加飾層がメッキ層であることを特徴とする。
【００１１】
第４の発明は、第１又は第２の加飾パネルにおいて、加飾層が蓄光材料で形成されていることを特徴とする。ここで、蓄光材料とは、昼光や蛍光灯などのエネルギーを吸収して一時的に蓄え、暗い所や夜間において、蓄えた光を徐々に放出して発光する材料のことである。
【００１２】
第５の発明は、第１〜第４の発明のいずれか１つの加飾パネルにおいて、表側パネルの表面側及び裏面側のうち少なくとも一方に、加飾層が形成されていることを特徴とする。
【００１３】
第６の発明は、第１〜第５の発明のいずれか１つの加飾パネルにおいて、表側パネルが偏光材を含有していることを特徴とする。
【発明の効果】
【００１４】
第１の発明によれば、裏側パネルの中央部のうち、突出部の加飾層が表側パネルを介して透視でき、且つ突出部を除く部位が表側パネルを介して透視できないので、加飾パネルを表側パネルの表側から見たときに、突出部の加飾層が表側パネルの裏側に立体的に浮き上がったように見える。これによって、加飾パネルに立体的な意匠表現を実現して充分な奥行感を持たせることができる。
【００１５】
第２の発明によれば、上述したように加飾パネルの中央部に充分な奥行き感を持たせつつ、この中央部と周縁部とで異なる意匠表現が可能となるので、斬新なデザインの加飾パネルを実現することができる。
【００１６】
また、第２の発明によれば、裏側パネルの周縁部及び突出部の加飾層を同一としながらも、中央部と周縁部とで異なる意匠表現が可能となるので、加飾パネルの低コスト化が可能になる。
【００１７】
第３の発明によれば、加飾パネルに金属部品を組み込んでいるようなメタリックな質感を得ることができ、加飾パネルの高級感を高めることができる。また、メッキ層による高い光の反射率を得ることができるので、突出部の加飾層が加飾パネルの表側から表側パネルを介して透視し易くなり、加飾パネルに立体的な意匠表現をより明瞭に実現することができる。
【００１８】
また、第３の発明において、第２の発明の如く、裏側パネルが表側パネルの外側方に露出する周縁部を有し、裏側パネルの周縁部にも突出部の加飾層と同一の加飾層が形成されている場合には、表側パネルを介して立体的に加飾層が浮き上がったように見える中央部と、加飾層が直接視認される周縁部との光の反射率に差が生じ、異材質の金属部品が取り付けられているような複雑な意匠表現が可能になる。
【００１９】
第４の発明によれば、暗い所や夜間においても、突出部の加飾層が発光しながら表側パネルの裏側に浮き上がって見えるので、加飾パネルの意匠を楽しむことができる。
【００２０】
また、第４の発明において、第２の発明の如く、裏側パネルが表側パネルの外側方に露出する周縁部を有し、裏側パネルの周縁部にも突出部の加飾層と同一の加飾層が形成されている場合には、表側パネルを介して立体的に加飾層が浮き上がったように見える中央部と、加飾層が直接視認される周縁部とで、視認できる光の強さに差が生じ、より複雑な意匠表現が可能になる。
【００２１】
第５の発明によれば、表側パネルの加飾層と裏側パネルにおける突出部の加飾層とが重なることにより、複雑な意匠表現が可能となる。
【００２２】
第６の発明によれば、表側パネルに含有された偏光材と裏側パネルにおける突出部の加飾層とが重なることにより、複雑な意匠表現が可能となる。特に、突出部の加飾層がメッキ層であったり蓄光材料で形成されている場合には、突出部の加飾層での反射や発光により表側パネルに向かった光が表側パネルにおける当該突出部に対応する箇所で偏光材に当たって散乱し、この箇所の偏光材が集中的に光って見える。これにより、斬新なデザインの加飾パネルを実現することができる。
【図面の簡単な説明】
【００２３】
【図１】図１は、本発明の実施形態１に係る加飾パネルが取り付けられた自動車のインストルメントパネルの略左半分を示す正面図である。
【図２】図２は、図１のII−II線における断面図である
【図３】図３は、本発明の実施形態１に係る加飾パネルを示す分解断面図である。
【図４】図４は、本発明の実施形態１の変形例１に係る加飾パネルを示す図２対応箇所の断面図である。
【図５】図５は、本発明の実施形態１の変形例３に係る加飾パネルを示す図２対応箇所の断面図である。
【図６】図６は、本発明の実施形態２に係る加飾パネルを示す図２対応箇所の断面図である。
【図７】図７は、本発明の実施形態３に係る加飾パネルを示す図２対応箇所の断面図である。
【発明を実施するための形態】
【００２４】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００２５】
《発明の実施形態１》
図１は、自動車用のインストルメントパネル１を示す。自動車用のインストルメントパネル１の助手席側には、図１に示すように、車幅方向に帯状に延びる略矩形状のパネル装着箇所３が形成されている。このパネル装着箇所３には、本実施形態に係る加飾パネル５が装着されてインストルメントパネル１に取り付けられている。
【００２６】
図１のII−II線における断面構造を図２に示す。また、加飾パネル５の分解断面図を図３に示す。パネル装着箇所３は、図２に示すように、車両後方に臨む底面部３ａと、この底面部３ａの外周縁から車体後方に向かって延びる第１側壁部３ｂと、この第１側壁部３ｂの車体後方に位置する後端から外側方に延びる外縁部３ｃと、この外縁部３ｃの外側端から車体後方に向かって延びる第２側壁部３ｄとで凹状に形成されている。底面部３ａの車体上下方向における中間箇所には、加飾パネル５取付け用の係止孔３ｅが車幅方向に間隔をあけて複数形成されている。また、第１側壁部３ｂと外縁部３ｃとは、パネル装着箇所３の内周に段部３ｆを構成している。
【００２７】
加飾パネル５は、図１に示すように、パネル装着箇所３の開口を塞ぐように正面視で横長の略矩形状に形成されている。この加飾パネル５は、図２に示すように、半透明の表側パネル７と裏側パネル９とが組み合わされて表側パネル７が裏側パネル９の中央部９ａに対向して配置された構造を有し、表側パネル７を介して裏側パネル９の中央部９ａを部分的に透視可能になっている。
【００２８】
裏側パネル９は、黒色顔料などの着色料を含有する不透明樹脂からなり、射出成形により形成されている。この裏側パネル９は、図３にも示すように、パネル装着箇所３で第１側壁部３ｂの内側に配置される中央部９ａと、この中央部９ａの外周縁に連続してパネル装着箇所３で第１側壁部３ｂの内周近傍から外縁部３ｃの全体を覆って段部３ｆに跨がるように形成された周縁部９ｂとで構成されている。
【００２９】
裏側パネル９の中央部９ａの裏側には、パネル装着箇所３の底面部３ａに長辺が当接する断面横向きＬ字状の当接基部９ｃを介して、係止突片９ｄが一体に突設されている。この係止突片９ｄは、パネル装着箇所３の底面部３ａに形成された係止孔３ｅに対応する箇所、すなわち裏側パネル９の中央部９ａの車体上下方向における中間箇所に、車幅方向に間隔をあけて複数形成されている。
【００３０】
各係止突片９ｄには、逆Ｕ字状のスリット９ｔが形成され、このスリット９ｔの内側に、パネル装着箇所３の係止孔３ｅに挿通する際に撓んで当該係止孔３ｅを通過した後に弾性復帰することで当該係止孔３ｅの周辺部分に裏側から引っ掛かる係止爪９ｓが設けられている。加飾パネル５は、これら各係止突片９ｄがパネル装着箇所３の対応する係止孔３ｅに挿通して係止爪９ｓで当該パネル装着箇所３に係止されることで、インストルメントパネル１に取り付けられるようになっている。
【００３１】
裏側パネル９の周縁部９ｂは、当該裏側パネル９の中央部９ａよりも車体後方に向かって張り出している。これにより、裏側パネル９は、中央部９ａが車体前方に凹んだ凹状に形成されている。この裏側パネル９の周縁部９ｂは、当該裏側パネル９の中央部９ａの外周縁から車体後方に延びる側壁部９ｅと、この側壁部９ｅの車体後方に位置する後端から裏側パネル９の外方に延びて表側パネル７の外側方に露出している露出部９ｆとを有している。
【００３２】
裏側パネル９の側壁部９ｅは、パネル装着箇所３の第１側壁部３ｂの内側から車体前後方向において第２側壁部３ｄの後端と同じ位置にまで延び出ている。この側壁部９ｅに続く露出部９ｆは、パネル装着箇所３の第２側壁部３ｄに連続するインストルメントパネル１の表面と同一平面上に位置する露出面を呈するように平坦に延びた後に車体前方に向かって湾曲した形状を有し、その先端部分がパネル装着箇所３の外縁部３ｃと第２側壁部３ｄとが構成する角部に当接している。
【００３３】
裏側パネル９の中央部９ａにおける上端縁部分及び下端縁部分には、これら上端縁及び下端縁に沿って、表側パネル７組付け用の係止孔９ｇが車幅方向に間隔あけて複数形成されている。そして、裏側パネル９の周縁部９ｂの内側には、当該裏側パネル９の中央部９ａを覆うように車体後方から表側パネル７が組み付けられている。
【００３４】
表側パネル７は、例えばスモーク色の半透明な樹脂からなり、射出成形により形成されている。この表側パネル７は、その主体をなす帯板状の本体部７ａと、この本体部７ａの外周縁から車体前方に向かって突設された側壁部７ｂとを備え、全体として皿状に形成されている。
【００３５】
表側パネル７の本体部７ａは、裏側パネル９の周縁部９ｂ内側の開口面積と略同じサイズであり、例えば１．５ｍｍ〜４．０ｍｍ程度の均一な厚さで平坦に形成されていて、裏側パネル９の周縁部９ｂにおける平坦な露出面とほぼ面一になっている。表側パネル７の側壁部７ｂは、裏側パネル９の側壁部９ｅに内側から接触している。
【００３６】
表側パネル７の側壁部７ｂのうち車体上下方向に互いに対向する上壁７ｃ及び下壁７ｄには、先端部に外方に立った係止爪７ｆを有する係止突片７ｅがインストルメントパネル１に向かって一体に突設されている。係止突片７ｅは、側壁部７ｂに形成された車幅方向に並ぶ図示しない一対のスリットの間に形成され、裏側パネル９の係止孔９ｇに挿通する際に表側パネル７の内方に撓んで当該係止孔９ｇを通過した際に弾性復帰することで裏側パネル９の側壁部９ｅに裏側から引っ掛かる。
【００３７】
この係止突片７ｅは、上壁７ｃ及び下壁７ｄのそれぞれにおいて裏側パネル９の中央部９ａに形成された係止孔９ｇに対応する箇所に車幅方向に間隔をあけて複数形成されている。表側パネル７は、これら各係止突片７ｅが裏側パネル９の対応する係止孔９ｇに挿通して係止爪７ｆで裏側パネル９に係止されることで、裏側パネル９に組み付けられている。
【００３８】
上記構成の加飾パネル５において、本実施形態では、裏側パネル９の中央部９ａに、一対の突出片９ｈが表側パネル７に向かって突設されている。これら一対の突出片９ｈは、裏側パネル９の中央部９ａの車幅方向における略全体に亘って互いに平行に延びる突条に形成されていて、当該中央部９ａの下半部と上半部とに分けて１つずつ設けられている。一対の突出片９ｈは、本発明の突出部を構成している。
【００３９】
このような一対の突出片９ｈが設けられた裏側パネル９の表側表面には、全面に亘って加飾層１１が形成されている。具体的には、裏側パネル９の中央部９ａの表側全面に各突出片９ｈを覆うように加飾層１１が形成されていると共に、裏側パネル９の周縁部９ｂ、つまり側壁部９ｅ及び露出部９ｆの表側全面にも同一の加飾層１１が形成されている。加飾層１１は、銀、銅、金、ニッケル、インジウムなどからなるメッキ層であり、真空蒸着メッキなどにより形成されている。
【００４０】
そして、表側パネル７は、一対の突出片９ｈの加飾層１１が当該表側パネル７の表側から透視でき、且つ裏側パネル９の中央部９ａのうち突出片９ｈを除く部位が当該表側パネル７の表側から透視できない程度の光透過率を有する。例えば、表側パネル７と突出片９ｈの先端との距離ｄ１が０ｍｍ（接触状態）〜２０ｍｍ程度、突出片９ｈの突出長さｄ２、つまり突出片９ｈの先端と裏側パネル９の中央部９ａのうち突出片９ｈを除く部位の表側表面との距離ｄ２が５ｍｍ〜４０ｍｍ程度であるとき、表側パネル７の光透過率は、３％〜１５％程度に設定される。
【００４１】
−実施形態１の効果−  
この実施形態１によると、裏側パネル９の中央部９ａのうち、一対の突出片９ｈの加飾層１１が表側パネル７を介して透視でき、且つこれら突出片９ｈを除く部位が表側パネル７を介して透視できないので、加飾パネル５を表側パネル７の表側から見たときに、車幅方向に平行に延びる一対の突出片９ｈの加飾層１１が表側パネル７の裏側に立体的に浮き上がったように見える。これによって、加飾パネル５に立体的な意匠表現を実現して充分な奥行感を持たせることができる。
【００４２】
また、この実施形態１によると、裏側パネル９の周縁部９ｂにも突出片９ｈの加飾層１１と同一の加飾層１１が形成されつつも、表側パネル７を介して立体的に加飾層１１が浮き上がったように見える中央部９ａと加飾層１１が直接視認される周縁部９ｂとで異なる意匠表現ができ、斬新なデザインを有すると共に低コストの加飾パネル５を実現することができる。
【００４３】
さらに、この実施形態１によると、加飾層１１をメッキ層で構成しているので、加飾パネル５に金属部品を組み込んでいるようなメタリックな質感を得ることができ、加飾パネル５の高級感を高めることができる。また、メッキ層１１による高い光の反射率を得ることができるので、一対の突出片９ｈの加飾層１１が加飾パネル５の表側から表側パネル７を介して透視し易くなり、加飾パネル５に立体的な意匠表現を明瞭に実現することができる。
【００４４】
また、この実施形態１によると、表側パネル７を介して加飾層１１が立体的に浮き上がったように見える中央部９ａと、加飾層１１が直接視認される周縁部９ｂとの光の反射率に差が生じ、異材質の金属部品が取り付けられているような複雑な意匠表現ができる。
【００４５】
−実施形態１の変形例１−
上記実施形態１の変形例１を図４に示す。図４は、本変形例に係る加飾パネル５を示す図２対応箇所の断面図である。上実施形態１の表側パネル７は、図４に示すように偏光材を含有している。偏光材は、真珠の粉砕物が入ったパール顔料や、アルミニウム、銅、チタン、クロム、ニッケルなどの金属薄片入りの顔料などであり、表側パネル７全体に満遍なく分散されている。本変形例でも、裏側パネル９に形成された加飾層１１はメッキ層である。
【００４６】
本変形例によると、表側パネル７に含有された偏光材と裏側パネル９における各突出片９ｈの加飾層１１とが重なることにより、複雑な意匠表現ができる。しかも、各突出片９ｈの加飾層１１がメッキ層であるので、各突出片９ｈの加飾層１１で反射されて表側パネル７に向かった光が表側パネル７において当該突出片９ｈに対応する箇所で偏光材に当たって散乱し、加飾パネル５を表側から見たとき、表側パネル７において各突出片９ｈに対応する箇所の偏光材が集中的に光って見える（図４の拡大部分参照）。これにより、斬新なデザインの加飾パネル５を実現することができる。
【００４７】
−実施形態１の変形例２−
上記実施形態１の加飾層１１は、蓄光材料で形成されていてもよい。蓄光材料は、例えば、酸化ストロンチウム、酸化マグネシウム、酸化アルミニウムを主成分とする顔料であり、昼光や蛍光灯などのエネルギーを吸収して一時的に蓄え、暗い所や夜間において、蓄えた光を徐々に放出して発光する。
【００４８】
このように加飾層１１が蓄光材料で形成されていることにより、暗い所や夜間においても、各突出片９ｈの加飾層１１が発光しながら表側パネル７の裏側に浮き上がって見えるので、加飾パネル５の意匠を楽しむことができる。
【００４９】
さらに、表側パネル７を介して加飾層１１が立体的に浮き上がったように見える中央部９ａと、加飾層１１が直接視認される周縁部９ｂとで、視認できる光の強さに差が生じ、より複雑な意匠表現ができる。
【００５０】
また、上記の如く加飾層１１が蓄光材料で形成された構成においても、表側パネル７に偏光材が含有されていてもよい。この場合には、各突出片９ｈの加飾層１１での発光により表側パネル７に向かった光が表側パネル７において当該突出片９ｈに対応する箇所で偏光材に当たって散乱し、暗い所や夜間において、加飾パネル５を表側から見たとき、表側パネル７において各突出片９ｈに対応する箇所の偏光材が集中的に光って見える。これにより、斬新なデザインの加飾パネル５を実現することができる。
【００５１】
−実施形態１の変形例３−
図５は、この変形例３に係る加飾パネル５を示す図２対応箇所の断面図である。上記実施形態１における表側パネル７の表面側には、裏側パネル９に設けられた加飾層１１とは異なる加飾層１５が形成されていてもよい。表側パネル７の加飾層１５は、所定の印刷模様を有するものであり、例えば水圧転写により形成される。
【００５２】
このような構成を採ると、表側パネル７の加飾層１５と裏側パネル９における一対の突出片９ｈの加飾層１１とが重なることにより、複雑な意匠表現ができる。なお、本変形例では、表側パネル７の加飾層１５は、当該表側パネル７の表面側に形成されているとしたが、当該表側パネル７の裏面側に形成されていてもよい。
【００５３】
《発明の実施形態２》
この実施形態２に係る加飾パネル５は、裏側パネル９の中央部９ａの構成が上記実施形態１と異なる。なお、以降の各実施形態では、裏側パネルの中央部９ａの構成が上記実施形態１と異なる他は加飾パネル５について上記実施形態１と同様に構成されているので、構成の異なる裏側パネル９の中央部９ａの構成についてのみ説明し、同一の構成箇所は図１〜図３に基づく上記実施形態１の説明に譲ることにして、その詳細な説明を省略する。
【００５４】
図６は、本実施形態に係る加飾パネル５を示す図２対応箇所の断面図である。本実施形態に係る加飾パネル５では、裏側パネル９の中央部９ａが、図６に示すように、車体上下方向の中間箇所が車体前方に凹む溝状に形成され、その両側の部位が表側パネル７に向かって突出した形状に形成されている。
【００５５】
具体的には、裏側パネル９の中央部９ａは、車幅方向に延びる溝状部分の底面を構成する底面部９ｉと、この底面部９ｉの外周縁から車体後方に向かって延びる溝壁部９ｊと、この溝壁部９ｊの車体後方に位置する後端から表側パネル７の本体部７ａに近接した状態で外側方に延びる近接部９ｋとを有している。裏側パネル９の中央部９ａにおいて、底面部９ｉと近接部９ｋとは、溝壁部９ｊの長さ分だけ段差を有しており、溝壁部９ｊと近接部９ｋとは、底面部９ｉから表側パネル７に向かって突設された突出部９ｌを構成している。
【００５６】
本実施形態でも、裏側パネル９の表側表面には、全面に亘って加飾層１１が形成されている。この加飾層１１は上記実施形態１と同じメッキ層である。そして、表側パネル７は、突出部９ｌの加飾層１１が当該表側パネル７の表側から視認でき、且つ裏側パネル９の中央部９ａのうち底面部９ｉが当該表側パネル７の表側から視認できない程度の光透過率を有する。例えば、表側パネル７と各突出部９ｌ（近接部９ｋ）との距離ｄ１が０ｍｍ（接触状態）〜２０ｍｍ程度、溝壁部９ｊの長さｄ２、つまり近接部９ｋの表側表面と底面部９ｉの表側表面との距離ｄ２が５ｍｍ〜４０ｍｍ程度であるとき、表側パネル７の光透過率は、３％〜１５％程度に設定される。
【００５７】
−実施形態２の効果−  
この実施形態２によると、加飾パネル５を表側パネル７の表側から見たときに、裏側パネル９の底面部９ｉに対応する車体上下方向における中央箇所に車幅方向に延びる暗い帯状領域が視認されると共に、その帯状領域の上下両側に突出部９ｌの加飾層１１が表側パネル７の裏側に立体的に浮き上がったように見え、加飾パネル５に上記実施形態１とは異なる立体的な意匠表現を実現して充分な奥行感を持たせることができる。
【００５８】
《発明の実施形態３》
図７は、この実施形態３に係る加飾パネル５の図２に対応する箇所の断面図である。本実施形態に係る加飾パネル５では、裏側パネル９の中央部９ａに、図７に示すように、各々傾斜面９ｑを呈する一対の突出部９ｐが表側パネル７に向かって突設されている。
【００５９】
一対の突出部９ｐは、裏側パネル９の中央部９ａの車幅方向における略全体に亘って互いに平行に延びる突条に形成されていて、当該中央部９ａの下半部と上半部とに分けて１つずつ設けられている。これら各突出部９ｐは、裏側パネル９の中央部９ａのうち当該突出部９ｐを除く部位から車体斜め上方に延びて車体斜め下方に臨む傾斜面９ｑを有する傾斜部９ｍと、この傾斜部９ｍの先端から車体前方に延びる縦壁部９ｎとで構成されている。
【００６０】
本実施形態でも、裏側パネル９の表側表面には、全面に亘って加飾層１１が形成されている。この加飾層１１は上記実施形態１と同じメッキ層である。そして、表側パネル７は、一対の突出部９ｐの加飾層１１が当該表側パネル７の表側から視認でき、且つ裏側パネル９の中央部９ａのうち突出部９ｐを除く部位が当該表側パネル７の表側から視認できない程度の光透過率を有する。例えば、表側パネル７と各突出部９ｐの先端との距離ｄ１が０ｍｍ（接触状態）〜２０ｍｍ程度、各突出部９ｐの突出長さｄ２、つまり当該突出部９ｐの先端と裏側パネル９の中央部９ａのうち突出部９ｐを除く部位での表側表面と距離ｄ２が５ｍｍ〜４０ｍｍ程度であるとき、表側パネル７の光透過率は、３％〜１５％程度に設定される。
【００６１】
−実施形態３の効果−  
この実施形態３によると、加飾パネル５を表側パネル７の表側から見たときに、一対の突出部９ｐにおける先端側の加飾層１１が表側パネル７の裏側に立体的に浮き上がったように見えると共に、これら各突出部９ｐの傾斜面９ｑに形成された加飾層１１が車体下方に向かうに連れて徐々にフェードアウトして見え、加飾パネル５に上記実施形態１及び２とは異なる立体的な意匠表現を実現して充分な奥行感を持たせることができる。
【００６２】
《その他の実施形態》
上記実施形態１〜３では、裏側パネル９の表側全面に加飾層１１が形成されているとしたが、本発明はこれに限らない。具体的には、上記実施形態１の加飾層１１は、少なくとも突出片９ｈの表面に形成されていればよい。上記実施形態２の加飾層１１は、少なくとも突出部９ｌ、つまり溝壁部９ｊ及び近接部９ｋの表側表面に形成されていればよい。上記実施形態３の加飾層１１は、少なくとも突出部９ｐ、つまり傾斜部９ｍ及び縦壁部９ｎの表側表面に形成されていればよい。
【００６３】
上記実施形態２及び３に係る加飾パネル５においても、上記実施形態１の変形例１と同様に表側パネル７が偏光材を含有していてもよく、上記実施形態１の変形例２と同様に加飾層１１が蓄光材料で形成されていてもよく、上記実施形態１の変形例３と同様に表側パネル７の表面側又は裏面側に裏側パネル９に設けられた加飾層１１とは異なる加飾層１５が形成されていてもよい。
【００６４】
上記実施形態１〜３では、裏側パネル９の中央部９ａに突出片９ｈ又は突出部９ｌ，９ｐが一対設けられている形態について説明したが、本発明はこれに限らず、これら突出片９ｈ及び突出部９ｌ，９ｐは、３つ以上設けられていても１つだけであってもよく、その形状も直線状に延びる突条などの単純なものに限らず、突起状に複数形成されて配列したり上下又は左右に蛇行した形状などの複雑なパターンに形成されていても構わない。
【００６５】
上記実施形態１〜３では、裏側パネル９の周縁部９ｂは、表側パネル７の全周に亘って形成されているとしたが、本発明はこれに限らず、表側パネル７の周縁の一部分のみに沿って形成されていてもよい。
【産業上の利用可能性】
【００６６】
以上説明したように、本発明は、例えば自動車などに用いられる加飾パネルについて有用であり、特に、立体的な意匠表現を実現して充分な奥行感を持たせることが要望される加飾パネルに適している。
【符号の説明】
【００６７】
５      加飾パネル
７      表側パネル
９      裏側パネル
９ａ    裏側パネルの中央部
９ｂ    裏側パネルの周縁部
９ｈ    突出片（突出部）
９ｌ，９ｐ    突出部
１１    裏側パネルの加飾層
１５    表側パネルの加飾層
【図１】
2014184768.tif 000003
【図２】
2014184768.tif 000004
【図３】
2014184768.tif 000005
【図４】
2014184768.tif 000006
【図５】
2014184768.tif 000007
【図６】
2014184768.tif 000008
【図７】
2014184768.tif 000009